(57)【要約】【課題】表示対象側に操作者が移動する手間を低減するとともに、表示対象の視認性を向上することができる表示制御プログラム、表示制御装置及び表示装置を提供する。【解決手段】表示装置２は、表示画面に表示オブジェクト１０を表示するタッチセンサ付表示部２２と、タッチセンサ付表示部２２に対して予め定められた位置に配置された引き寄せスイッチ２４Ａ〜２４Ｄと、タッチセンサ付表示部２２の表示画面に表示された表示オブジェクト１０の位置を変更する変更指示を引き寄せスイッチ２４Ａ〜２４Ｄから受け付ける操作受付手段２６０と、操作受付手段２６０により変更指示が受け付けられたとき、表示オブジェクト１０の表示位置を変更指示の受付元の引き寄せスイッチ側に変更するようタッチセンサ付表示部２２を制御する表示制御手段２６２等を備える。【選択図】図１
2010072841.tif 000002
【特許請求の範囲】
【請求項１】
表示手段の表示画面に表示された表示対象の位置を変更する変更指示を、前記表示画面に対して予め定められた位置に配置された指示手段から受け付ける受付ステップと、
前記受付ステップにより前記変更指示が受け付けられたとき、前記表示対象の表示位置を前記指示手段側に変更するよう前記表示手段を制御する制御ステップとをコンピュータに実行させるための表示制御プログラム。
【請求項２】
前記受付ステップは、前記表示対象の表示位置が前記指示手段側に変更された後、表示位置の変更状態を解除する変更解除指示を前記指示手段から受け付け、
前記制御ステップは、前記受付ステップにより前記変更解除指示が受け付けられたとき、前記表示対象の表示位置を前記指示手段側に変更する前の表示位置に戻すよう前記表示手段を制御する請求項１に記載の表示制御プログラム。
【請求項３】
前記受付ステップは、複数の前記表示対象の表示位置が前記指示手段側に変更された後、前記複数の表示対象毎に表示位置の変更状態を解除するか否かが指定された変更解除指示を前記指示手段から受け付け、
前記制御ステップは、前記受付ステップにより前記変更解除指示が受け付けられたとき、前記変更状態を解除すると指定された表示対象の表示位置を前記指示手段側に変更する前の表示位置に戻すよう前記表示手段を制御する請求項１に記載の表示制御プログラム。
【請求項４】
前記表示画面上で前記表示対象に対して筆記された筆記情報を前記表示対象に関連付けて管理する管理ステップをさらにコンピュータに実行させ、
前記制御ステップは、前記管理ステップにより管理されている前記筆記情報を前記表示対象とともに表示するよう前記表示手段を制御する請求項１に記載の表示制御プログラム。
【請求項５】
前記制御ステップは、前記表示画面が矩形状であるとき、前記矩形を構成する辺のうち前記指示手段側に配置された辺に対して垂直方向に近づけた位置に前記表示対象の表示位置を変更するよう前記表示手段を制御する請求項１に記載の表示制御プログラム。
【請求項６】
前記制御ステップは、前記指示手段の位置を基準にした予め定められた範囲内に前記表示対象の表示位置を変更するよう前記表示手段を制御する請求項１に記載の表示制御プログラム。
【請求項７】
前記制御ステップは、前記表示対象の表示位置を前記指示手段側に変更するとともに、前記表示対象が占める表示領域を縮小するよう前記表示手段を制御する請求項１に記載の表示制御プログラム。
【請求項８】
表示手段の表示画面に表示された表示対象の位置を変更する変更指示を、前記表示画面に対して予め定められた位置に配置された指示手段から受け付ける受付手段と、
前記受付手段により前記変更指示が受け付けられたとき、前記表示対象の表示位置を前記指示手段側に変更するよう前記表示手段を制御する制御手段とを備えた表示制御装置。
【請求項９】
表示画面に表示対象を表示する表示手段と、
前記表示画面に対して予め定められた位置に配置された指示手段と、
前記表示手段の表示画面に表示された前記表示対象の位置を変更する変更指示を前記指示手段から受け付ける受付手段と、
前記受付手段により前記変更指示が受け付けられたとき、前記表示対象の表示位置を前記指示手段側に変更するよう前記表示手段を制御する制御手段とを備えた表示装置。
【発明の詳細な説明】
【技術分野】
【０００１】
本発明は、表示制御プログラム、表示制御装置及び表示装置に関する。
【背景技術】
【０００２】
従来、１つのウィンドウの表示位置を退避位置に変更させる情報処理装置が知られている（例えば、特許文献１参照。）。
【０００３】
この情報処理装置は、１つのウィンドウ（表示対象の一例）に対する退避指定を読み込むと、そのウィンドウが現在表示されている作業位置から離れていて、そのウィンドウを配置するのに十分な空間がある場所（退避位置）にそのウィンドウを移動して表示する。
【特許文献１】特開２００３−１３１７７９号公報
【発明の開示】
【発明が解決しようとする課題】
【０００４】
本発明の目的は、表示対象側に操作者が移動する手間を低減するとともに、表示対象の視認性を向上することができる表示制御プログラム、表示制御装置及び表示装置を提供することにある。
【課題を解決するための手段】
【０００５】
本発明の一態様は、上記目的を達成するため、以下の表示制御プログラム、表示制御装置及び表示装置を提供する。
【０００６】
［１］表示手段の表示画面に表示された表示対象の位置を変更する変更指示を、前記表示画面に対して予め定められた位置に配置された指示手段から受け付ける受付ステップと、前記受付ステップにより前記変更指示が受け付けられたとき、前記表示対象の表示位置を前記指示手段側に変更するよう前記表示手段を制御する制御ステップとをコンピュータに実行させるための表示制御プログラム。
【０００７】
［２］前記受付ステップは、前記表示対象の表示位置が前記指示手段側に変更された後、表示位置の変更状態を解除する変更解除指示を前記指示手段から受け付け、前記制御ステップは、前記受付ステップにより前記変更解除指示が受け付けられたとき、前記表示対象の表示位置を前記指示手段側に変更する前の表示位置に戻すよう前記表示手段を制御する前記［１］に記載の表示制御プログラム。
【０００８】
［３］前記受付ステップは、複数の前記表示対象の表示位置が前記指示手段側に変更された後、前記複数の表示対象毎に表示位置の変更状態を解除するか否かが指定された変更解除指示を前記指示手段から受け付け、前記制御ステップは、前記受付ステップにより前記変更解除指示が受け付けられたとき、前記変更状態を解除すると指定された表示対象の表示位置を前記指示手段側に変更する前の表示位置に戻すよう前記表示手段を制御する前記［１］に記載の表示制御プログラム。
【０００９】
［４］前記表示画面上で前記表示対象に対して筆記された筆記情報を前記表示対象に関連付けて管理する管理ステップをさらにコンピュータに実行させ、前記制御ステップは、前記管理ステップにより管理されている前記筆記情報を前記表示対象とともに表示するよう前記表示手段を制御する前記［１］に記載の表示制御プログラム。
【００１０】
［５］前記制御ステップは、前記表示画面が矩形状であるとき、前記矩形を構成する辺のうち前記指示手段側に配置された辺に対して垂直方向に近づけた位置に前記表示対象の表示位置を変更するよう前記表示手段を制御する前記［１］に記載の表示制御プログラム。
【００１１】
［６］前記制御ステップは、前記指示手段の位置を基準にした予め定められた範囲内に前記表示対象の表示位置を変更するよう前記表示手段を制御する前記［１］に記載の表示制御プログラム。
【００１２】
［７］前記制御ステップは、前記表示対象の表示位置を前記指示手段側に変更するとともに、前記表示対象が占める表示領域を縮小するよう前記表示手段を制御する前記［１］に記載の表示制御プログラム。
【００１３】
［８］表示手段の表示画面に表示された表示対象の位置を変更する変更指示を、前記表示画面に対して予め定められた位置に配置された指示手段から受け付ける受付手段と、前記受付手段により前記変更指示が受け付けられたとき、前記表示対象の表示位置を前記指示手段側に変更するよう前記表示手段を制御する制御手段とを備えた表示制御装置。
【００１４】
［９］表示画面に表示対象を表示する表示手段と、前記表示画面に対して予め定められた位置に配置された指示手段と、前記表示手段の表示画面に表示された前記表示対象の位置を変更する変更指示を前記指示手段から受け付ける受付手段と、前記受付手段により前記変更指示が受け付けられたとき、前記表示対象の表示位置を前記指示手段側に変更するよう前記表示手段を制御する制御手段とを備えた表示装置。
【発明の効果】
【００１５】
請求項１,８，９に係る発明によれば、表示対象側に操作者が移動する手間を低減するとともに、表示対象の視認性を向上することができる。
【００１６】
請求項２に係る発明によれば、本構成を有していない場合に比較して、指示手段側に表示位置を変更した表示対象を変更前の表示位置に簡便に戻すことできる。
【００１７】
請求項３に係る発明によれば、操作者が選択した表示対象を除いた他の表示対象を、他の操作者が利用することができる。
【００１８】
請求項４に係る発明によれば、表示対象の表示位置の変更に伴って、操作者が筆記した筆跡の表示位置も変更して表示することができる。
【００１９】
請求項５に係る発明によれば、本構成を有していない場合に比較して、指示手段側に表示位置を変更した場合に、表示対象間の配置関係を維持することができる。
【００２０】
請求項６に係る発明によれば、指示手段を操作した操作者が、例えば、筆記操作等が可能な範囲内に表示対象を表示することができる。
【００２１】
請求項７に係る発明によれば、本構成を有していない場合に比較して、指示手段側の一定領域内により多くの表示対象を表示することができる。
【発明を実施するための最良の形態】
【００２２】
本発明の実施の形態に係る表示制御プログラムは、表示手段の表示画面に表示された表示対象の位置を変更する変更指示を予め定められた位置に配置された指示手段から受け付ける受付ステップと、前記受付ステップにより前記変更指示が受け付けられたとき、前記表示対象の表示位置を前記指示手段側に変更するよう前記表示手段を制御する制御ステップとをコンピュータに実行させるためのプログラムである。
【００２３】
指示手段は、例えば、表示手段の周囲等に固定されていてもよいし、着脱可能に配置されていてもよい。また、指示手段は、表示画面に表示されたアイコン、メニュー等でもよいし、表示画面に対するタッチ操作等でもよい。
【００２４】
上記構成において、操作者が指示手段を操作して変更指示を行うと、表示画面における表示対象の表示位置が制御ステップにより指示手段側に変更されるので、操作者は移動しなくても、表示対象が変更前に比べてその操作者の近くに表示される。
【００２５】
［第１の実施の形態］
図１は、本発明の第１の実施の形態に係る表示システムの概略構成の一例を示す全体図である。この表示システム１は、テーブル型の表示装置２に、画像読取装置３と、情報処理装置４とが、ネットワーク５を介して接続されている。
【００２６】
（画像読取装置）
画像読取装置３は、メモ用紙、印刷用紙等の記録用紙を光学的に読み取って、画像データを生成し、生成した画像データを表示装置２に送信する。このような画像読取装置３は、例えば、スキャナ、ファックス、複合機、デジタルカメラ、及びカメラ付き携帯電話機等により構成されている。
【００２７】
（情報処理装置）
情報処理装置４は、ワープロ、表計算、画像作成等の各種のアプリケーションにより作成された文書データを格納し、例えば、操作者により指定された文書データを表示装置２に送信する。このような情報処理装置４は、例えば、コンピュータ、携帯情報端末（ＰＤＡ）、及び携帯電話機等により構成されている。
【００２８】
（ネットワーク）
ネットワーク５は、有線通信（電気ケーブル、光ケーブル等）及び無線通信（電波、赤外線等）等によりデータの送受信を行うＬＡＮ（ローカルエリアネットワーク）、インターネット等の通信網である。なお、表示装置２と、画像読取装置３及び情報処理装置４との間は、ＵＳＢ、ＩＥＥＥ１３９４等の有線通信規格に則ったケーブルにより接続されていてもよいし、ブルートゥース等の無線通信により接続されていてもよい。
【００２９】
（表示装置）
表示装置２は、平板状のテーブル部２０を複数の操作者が取り囲んだ状態で利用され、例えば、会議やブレインストーミング等の際に用いられる。
【００３０】
表示装置２は、テーブル部２０と、テーブル部２０を支持する４つの脚部２１と、テーブル部２０の上面に設けられ、表示オブジェクト（表示対象）１０を表示画面上に表示するタッチセンサ付表示部（表示手段）２２と、タッチセンサ付表示部２２へのタッチ操作用のタッチ用ペン２３と、テーブル部２０の右側、左側、上側、下側にそれぞれ配置された第１乃至第４の引き寄せスイッチ（指示手段）２４Ａ〜２４Ｄと、テーブル部２０の下面に設けられ、表示制御部として機能する本体機能部２５とから構成されている。なお、本体機能部２５は、テーブル部２０と別体でもよい。
【００３１】
第１乃至第４の引き寄せスイッチ２４Ａ〜２４Ｄの各々は、オンオフ状態を検出し、例えば、オン（押下）されたオン状態を保持するオルタネイト型のスイッチである。なお、引き寄せスイッチ２４Ａ〜２４Ｄは、オン状態を保持しないタイプのスイッチを用いてもよい。
【００３２】
表示オブジェクト１０は、例えば、矩形状の表示領域を有する。表示オブジェクト１０の表示領域は、例えば、タッチセンサ付表示部２２の左下の頂点を原点２２ａとした場合のＸ，Ｙ座標による通常位置情報（例えば、左下の点１００）と、表示領域の幅Ｗ及び高さＨを示す領域情報とにより定められる。また、表示領域には、画像読取装置３から送信された画像データ、又は情報処理装置４から送信された文書データを表示元の表示データとする画像が表示される。なお、表示領域の形状は、矩形状に限られず、曲線を伴う形状でもよいし、多角形状でもよい。
【００３３】
（表示装置の制御系）
図２は、本発明の第１の実施の形態に係る表示装置の制御系の一例を示すブロック図である。表示装置２の本体機能部２５には、上述のタッチセンサ付き表示部２２及び４つの引き寄せスイッチ２４Ａ〜２４Ｄが電気的に接続されている。
【００３４】
タッチセンサ付き表示部２２は、例えば、液晶、プラズマ、有機ＥＬ（Electro Luminescence）等の各種の薄型ディスプレイにより実現される表示部２２０と、表示部２２０の表面に重畳して配置され、タッチ用ペン２３によるタッチ操作や筆記操作を検出するタッチセンサ２２１とから構成されている。なお、本実施の形態では、タッチセンサ付き表示部２２の外形は矩形状であるが、円形状でもよいし、多角形状でもよい。
【００３５】
（本体機能部）
本体機能部２５は、各部を制御する、例えば、ＣＰＵ等により実現される制御部２６と、プログラム及びデータ等を記憶する、例えば、ＲＯＭ，ＲＡＭ，ハードディスク等により実現される記憶部２７と、ネットワーク５に接続された、例えば、ネットワークインタフェースカード等により実現される通信部２８とから構成されている。
【００３６】
記憶部２７には、表示制御プログラム２７０Ａ、表示オブジェクト管理テーブル２７１及び筆記オブジェクト管理テーブル２７２等が記憶されている。
【００３７】
制御部２６は、表示制御プログラム２７０Ａに従って動作することにより、操作受付手段２６０、位置算出手段２６１Ａ、表示制御手段２６２及び筆記データ管理手段２６３等として機能する。なお、操作受付手段２６０は、受付手段を構成する。位置算出手段２６１Ａ及び表示制御手段２６２は、制御手段を構成する。
【００３８】
操作受付手段２６０は、各種操作の指示を引き寄せスイッチ２４Ａ〜２４Ｄから受け付ける。操作受付手段２６０は、例えば、タッチセンサ付表示部２２の表示画面に表示された表示オブジェクト１０の位置を変更する変更指示、表示位置が変更された変更状態を解除する変更解除指示、
前記受付ステップは、複数の前記表示対象の表示位置が前記指示手段側に変更された後、複数の表示オブジェクト毎に表示位置の変更状態を解除するか否かを指定するために、変更状態を解除しない表示オブジェクト１０を選択する選択指示、表示オブジェクト１０が選択された状態を解除する選択解除指示等を受け付ける。なお、選択指示は、変更解除指示の前に受け付けてもよいし、後に受け付けてもよい。また、選択指示は、変更状態を解除する表示オブジェクトが選択されてもよい。
【００３９】
位置算出手段２６１Ａは、操作受付手段２６０により変更指示が受け付けられたとき、その変更指示の受付元の引き寄せスイッチ側に表示オブジェクト１０の表示位置を変更した引き寄せ位置を算出する。本実施の形態では、位置算出手段２６１Ａは、タッチセンサ付表示部２２の外形を構成する４辺のうち受付元の引き寄せスイッチ側に配置された辺に対して垂直方向に近づけた位置を引き寄せ位置として算出する。
【００４０】
表示制御手段２６２は、変更指示が受け付けられたとき、表示オブジェクト１０の表示位置を引き寄せ位置に変更するようタッチセンサ付表示部２２を制御する。また、表示制御手段２６２は、変更解除指示が受け付けられたとき、選択指示により選択された表示オブジェクト以外の表示オブジェクトの表示位置を、引き寄せ位置に変更する前の表示位置（通常位置）に戻すようタッチセンサ付表示部２２を制御する。
【００４１】
図３（ａ）は、表示オブジェクト管理テーブルの一例を示す図である。表示オブジェクト管理テーブル２７１は、表示オブジェクト１０に関する情報を記録する。表示オブジェクト管理テーブル２７１には、例えば、表示オブジェクト１０の識別子であるオブジェクトＩＤをキーにして、表示オブジェクト１０の通常位置情報、領域情報、表示データ、引き寄せ位置情報、及びその表示オブジェクト１０へのピン留めがされているか否かを示すピン留め有無等のフィールドが設けられている。
【００４２】
ピン留めがされている表示オブジェクト１０とは、選択指示により選択された表示オブジェクト１０である。ピン留めがされている表示オブジェクト１０は、変更解除指示が受け付けられた場合でも、表示制御手段２６２により表示位置が変更されない。
【００４３】
図３（ｂ）は、筆記オブジェクト管理テーブルの一例を示す図である。筆記オブジェクト管理テーブル２７２は、タッチ用ペン２３による筆記操作に基づく筆記オブジェクト（筆記情報）に関する情報を記憶する。表示オブジェクト管理テーブル２７１は、例えば、筆記オブジェクトの識別子である筆記オブジェクトＩＤをキーにして、タッチ用ペン２３により筆記操作がされた表示オブジェクト１０を示す書込オブジェクトＩＤ、及びその筆記操作に基づく筆記データ等のフィールドが設けられている。
【００４４】
（第１の実施の形態の動作）
次に、本発明の第１の実施の形態に係る表示システムの動作の一例を図４〜図６を参照して説明する。
【００４５】
（１）表示オブジェクトの表示処理
まず、画像読取装置３が、操作者の読取操作に応じて記録用紙を光学的に読み取って生成した画像データをネットワーク５を介して表示装置２に送信する。表示装置２の表示制御手段２６２は、その画像データを通信部２８を介して受信すると、その画像データを表示データとして記録したレコードを表示オブジェクト管理テーブル２７１に追加するとともに、タッチセンサ付表示部２２に表示オブジェクトとして表示する。
【００４６】
また、情報処理装置４が、操作者の指定操作に応じて指定された文書データを表示装置２に送信すると、表示装置２の表示制御手段２６２は、その文書データを表示データとして記録したレコードを表示オブジェクト管理テーブル２７１に追加するとともに、タッチセンサ付表示部２２に表示オブジェクトとして表示する。
【００４７】
図４Ａ（ａ）は、タッチセンサ付表示部に表示された表示画面の一例を示す図である。タッチセンサ付表示部２２の表示画面には、上記のようにして受信した画像データ又は文書データに基づいて、複数の表示オブジェクト１０Ａ〜１０Ｈが表示されている。なお、表示オブジェクト１０Ａ〜１０Ｈは、初期位置として、例えば、左下から順に並べて表示される。その後、操作受付手段２６０が、例えば、表示オブジェクト１０Ａ〜１０Ｈに対するドラッグアンドドロップ等の移動操作をタッチセンサ２２１を介して受け付けると、表示制御手段２６２は、その移動操作に応じて通常位置情報を更新し、表示位置を変更する。
【００４８】
（２）表示オブジェクトの引き寄せ処理
表示装置２における表示オブジェクトの引き寄せ処理について図５のフローチャートに従って説明する。ここでは、テーブル部２０の右側に存在する操作者が、第１の引き寄せスイッチ２４Ａの押下操作を行った場合について説明する。
【００４９】
まず、操作受付手段２６０は、操作者の押下操作に応じて第１の引き寄せスイッチ２４Ａから変更指示を受け付ける（Ｓ１）。
【００５０】
次に、位置算出手段２６１Ａは、表示オブジェクト管理テーブル２７１に記録された表示オブジェクト単位で順に処理すべく、変更指示の受付元の引き寄せスイッチが配置された位置に応じて表示オブジェクトの１つを選択する（Ｓ１０）。
【００５１】
ここでは、第１の引き寄せスイッチ２４Ａが押下されたため、位置算出手段２６１Ａは、タッチセンサ付表示部２２において右側に表示されている順、すなわち、通常位置情報におけるＸ座標が大きい順に表示オブジェクトを選択する。ここで、位置算出手段２６１Ａが選択した表示オブジェクトを選択オブジェクトという。
【００５２】
次に、位置算出手段２６１Ａは、第１の引き寄せスイッチ２４Ａ側に余白領域があるか否かを判定する（Ｓ２０）。具体的には、位置算出手段２６１Ａは、表示オブジェクト管理テーブル２７１を参照し、他の表示オブジェクトが占める表示領域と重複しないで選択オブジェクトを右側に移動可能か否かを判定する。
【００５３】
そして、位置算出手段２６１Ａは、第１の引き寄せスイッチ２４Ａ側に余白領域があると判定した場合には（Ｓ２０：Ｙｅｓ）、選択オブジェクトのＸ座標をプラス方向にシフトした引き寄せ位置情報を算出し、表示オブジェクト管理テーブル２７１の引き寄せ位置情報に記録する（Ｓ２１）。
【００５４】
次に、表示制御手段２６２は、その算出された引き寄せ位置情報に基づいて、選択オブジェクトの表示位置を変更する（Ｓ３０）。
【００５５】
そして、表示制御手段２６２は、全ての表示オブジェクトの表示位置を変更したか否かを判定し（Ｓ４０）、全ての表示オブジェクトの表示位置を変更していないと判定した場合には（Ｓ４０：Ｎｏ）、上記ステップＳ１０に戻り、次の表示オブジェクトを選択する（Ｓ１０）。一方、表示制御手段２６２が、全ての表示オブジェクトの表示位置を変更したと判定した場合には（Ｓ４０：Ｙｅｓ）、一連の引き寄せ処理を終了する。
【００５６】
図４Ａ（ｂ）は、表示オブジェクトを引き寄せスイッチ側に変更した表示画面の一例を示す図である。表示オブジェクト１０Ａ１〜１０Ｈ１は、図４Ａ（ａ）の表示位置に比べて、Ｘ座標がプラス方向にシフトした表示位置に表示されている。また、第１の引き寄せスイッチ２４Ａ１は、操作者の押下操作によってオン状態となっている。Ｘ座標をプラス方向にシフトすることにより、表示オブジェクト間のＹ座標は変化しないので、変更前後の表示オブジェクトの位置関係が維持される。
【００５７】
（３）表示オブジェクトのピン留め処理
操作者は、図４Ａ（ｂ）に例示した右寄せ状態の表示オブジェクトにおいて、例えば、表示内容を手元で確認したい表示オブジェクトやタッチ用ペン２３でメモ書き等を書き込みたい表示オブジェクトに対して、例えば、タッチ用ペン２３によりその表示オブジェクトの表示領域にタッチ操作を行う。
【００５８】
次に、操作受付手段２６０は、そのタッチ用ペン２３によりタッチ操作がされたピン留め位置情報を含む選択指示をタッチセンサ２２１から受け付けると、表示制御手段２６２は、そのピン留め位置情報に対応する表示オブジェクトを特定する。
【００５９】
そして、表示制御手段２６２は、ピン留め状態であることを示すピン留めマークをその特定した表示オブジェクトに付加してタッチセンサ付表示部２２に表示する。また、表示制御手段２６２は、表示オブジェクト管理テーブル２７１において、その特定した表示オブジェクトに対応するレコードのピン留め有無に「ピン留め有り」と記録する。
【００６０】
図４Ｂ（ｃ）は、ピン留めマークを表示オブジェクトに付加した表示画面の一例を示す図である。選択指示がされた表示オブジェクト１０Ｂ２には、他の表示オブジェクト１０Ａ１、１０Ｃ１〜１０Ｈ１と区別可能なマークとして、例えば、三角形状のピン留めマーク１０１が表示されている。なお、表示制御手段２６２は、ピン留めマーク１０１を表示する代わりに、例えば、表示領域よりひと回り大きい枠を表示するようにしてもよいし、表示領域の背景色を変更するようにしてもよい。
【００６１】
（４）表示オブジェクトの引き寄せ解除処理
操作者が、オン状態の第１の引き寄せスイッチ２４Ａ１に対して押下操作を行うと、第１の引き寄せスイッチ２４Ａは、オン状態からオフ状態となり、操作受付手段２６０は、その押下操作に応じて第１の引き寄せスイッチ２４Ａから変更解除指示を受け付ける。
【００６２】
そして、表示制御手段２６２は、表示オブジェクト管理テーブル２７１のピン留め有無において「ピン留め無し」と記録された表示オブジェクトの表示位置を通常位置情報に基づく表示位置に変更する。
【００６３】
図４Ｂ（ｄ）は、ピン留めがされていない表示オブジェクトを通常位置に戻した表示画面の一例を示す図である。選択指示がされていない表示オブジェクト１０Ａ、１０Ｃ〜１０Ｈは、図４Ａ（ａ）と同様の表示位置、すなわち、引き寄せ位置に変更する前の通常位置に表示されている。一方、選択指示がされた表示オブジェクト１０Ｂ２は、図４Ｂ（ｃ）と同様の位置、すなわち、引き寄せ位置に表示されている。
【００６４】
（５）筆記オブジェクトの表示処理
操作者が、タッチセンサ付表示部２２上でタッチ用ペン２３によりメモ書き等を書き込む筆記操作を行うと、タッチセンサ２２１は、その筆記操作による筆跡を筆記データとして検出する。
【００６５】
表示制御手段２６２は、タッチセンサ２２１により検出された筆記データに基づく筆記オブジェクトを表示部２２０に表示する。
【００６６】
また、筆記データ管理手段２６３は、その筆記データが書き込まれた位置からその筆記データの書込対象である表示オブジェクトを特定する。そして、筆記データ管理手段２６３は、その特定した表示オブジェクトを示すオブジェクトＩＤを書込オブジェクトＩＤとして記録するとともに、その筆記データを記録したレコードを筆記オブジェクト管理テーブル２７２に追加する。
【００６７】
図４Ｃ（ｅ）は、筆記オブジェクトを表示した表示画面の一例を示す図である。筆記操作がされた表示オブジェクト１０Ｂ２には、タッチ用ペン２３により筆記された筆記オブジェクト１０２が表示されている。なお、ピン留めがされていない表示オブジェクト１０Ａ、１０Ｃ〜１０Ｈに対して筆記操作が行われてもよい。
【００６８】
（６）表示オブジェクトのピン留め解除処理
操作者は、ピン留めを解除する表示オブジェクトに対して、例えば、タッチ用ペン２３を用いて表示オブジェクト１０Ｂ２のピン留めマーク１０１にタッチ操作を行う。
【００６９】
次に、操作受付手段２６０は、そのタッチ操作がされたピン留め解除位置情報を含む選択解除指示をタッチセンサ２２１から受け付けると、表示制御手段２６２は、操作受付手段２６０により受け付けられたピン留め解除位置情報に対応する表示オブジェクトを特定する。
【００７０】
そして、表示制御手段２６２は、その特定した表示オブジェクトに対するピン留めマーク１０１を非表示にするとともに、その特定した表示オブジェクトの表示位置を通常位置情報に基づく表示位置に変更する。その際、表示制御手段２６２は、筆記オブジェクト管理テーブル２７２において、その表示オブジェクトを書込オブジェクトＩＤとして記録したレコードが存在する場合には、そのレコードに対応する筆記オブジェクトの表示位置も同様に変更する。
【００７１】
また、表示制御手段２６２は、表示オブジェクト管理テーブル２７１において、その特定した表示オブジェクトに対応するレコードのピン留め有無に「ピン留め無し」と記録する。
【００７２】
図４Ｃ（ｆ）は、ピン留めが解除された表示オブジェクトを通常位置に戻した表示画面の一例を示す図である。ピン留めがされた表示オブジェクト１０Ｂ２に対して選択解除指示がされると、表示オブジェクト１０Ｂは、図４Ａ（ａ）と同様の表示位置、すなわち、通常位置に表示される。また、表示オブジェクト１０Ｂに関連付けられた筆記オブジェクト１１２は、表示オブジェクト１０Ｂの表示位置の変更に伴って移動されている。
【００７３】
（引き寄せ解除処理の変形例）
次に、引き寄せ解除処理の変形例について図６を参照して説明する。
【００７４】
図４Ｂ（ｃ）に例示した表示状態において、例えば、テーブル部２０の左側に存在する操作者が、第２の引き寄せスイッチ２４Ｂに対して押下操作を行うと、操作受付手段２６０は、その押下操作に応じて第２の引き寄せスイッチ２４Ｂから変更指示を受け付け、表示制御手段２６２は、ピン留め有無において「ピン留め無し」と記録された表示オブジェクトの表示位置を通常位置情報に基づく表示位置に変更する。
【００７５】
図６は、第２の引き寄せスイッチが押下された場合の表示画面の一例を示す図である。第２の引き寄せスイッチ２４Ｂが押下されると、表示制御手段２６２は、図４Ｂ（ｄ）と同様に、選択指示がされていない表示オブジェクト１０Ａ、１０Ｃ〜１０Ｈを通常位置に表示し、選択指示がされた表示オブジェクト１０Ｂ２の表示位置は変更せずに引き寄せ位置に表示する。
【００７６】
なお、図６に例示した表示状態から表示オブジェクトを第２の引き寄せスイッチ２４Ｂ側に引き寄せたい場合には、操作者は、一旦第２の引き寄せスイッチ２４Ｂのオン状態を解除した後、再度第２の引き寄せスイッチ２４Ｂを押下すればよい。
【００７７】
［第２の実施の形態］
第１の実施の形態に係る表示装置２は、引き寄せ処理において表示オブジェクトの表示位置を変更するものであった。これに対し、本実施の形態に係る表示装置２は、表示オブジェクトの表示領域を縮小することにより、引き寄せスイッチを基準にした操作可能範囲内に表示オブジェクトを表示するよう制御するものである。
【００７８】
図７は、本発明の第２の実施の形態に係る表示装置の制御系の一例を示すブロック図である。表示装置２の本体機能部２５は、第１の実施の形態と同様に、制御部２６、記憶部２７及び通信部２８から構成されている。なお、図７において、図２と同一又は同等の部位、手段等については同一の符号を付し、詳細な説明を省略する。
【００７９】
記憶部２７に記憶された操作可能範囲情報２７３は、例えば、操作者がタッチ用ペン２３等を持って手が届く範囲を示す情報である。本実施の形態では、操作可能範囲は、引き寄せスイッチを中心とした半円状の範囲とし、操作可能範囲情報２７３には、例えば、その半円の半径が記録されている。なお、操作可能範囲は、半円状に限られず、矩形状でもよいし、これに限られない。
【００８０】
制御部２６は、記憶部２７に記憶された表示制御プログラム２７０Ｂに従って動作することにより、操作受付手段２６０、位置算出手段２６１Ｂ、表示制御手段２６２及び筆記データ管理手段２６３等として機能する。
【００８１】
位置算出手段２６１Ｂは、変更指示の受付元の引き寄せスイッチが配置された位置を基準にした操作可能範囲内に表示オブジェクト１０が含まれる位置を引き寄せ位置として算出する。また、位置算出手段２６１Ｂは、表示オブジェクト１０の表示位置を変更しても操作可能範囲内に含まれない場合には、表示オブジェクト１０の表示領域を縮小する縮小率を算出し、その縮小率で表示オブジェクト１０を表示したときに操作可能範囲内に表示オブジェクト１０が含まれる位置を引き寄せ位置として算出する。
【００８２】
（第２の実施の形態の動作）
次に、本発明の第２の実施の形態に係る表示システムの動作の一例を図８及び図９を参照して説明する。なお、（１）表示オブジェクトの表示処理、（３）表示オブジェクトのピン留め処理、（４）表示オブジェクトの引き寄せ解除処理、（５）筆記オブジェクトの表示処理、（６）表示オブジェクトのピン留め解除処理は、第１の実施の形態と同様であるため、それらの説明を省略する。
【００８３】
（表示オブジェクトの引き寄せ処理）
表示装置２の表示オブジェクトの引き寄せ処理について図９のフローチャートに従って説明する。ここでは、第１の実施の形態と同様に、テーブル部２０の右側に存在する操作者が、第１の引き寄せスイッチ２４Ａの押下操作を行った場合について説明する。また、図９のフローチャートにおけるステップＳ１〜Ｓ４０は、図５のフローチャートと同様のため、ステップＳ５０から説明する。
【００８４】
図８（ａ）は、上記ステップＳ４０までの処理により引き寄せ位置に表示オブジェクトを配置した配置例を示す図である。なお、図８（ａ）に例示した表示画面は、実際に表示されるものではなく、ステップＳ４０までの処理経過を示すものである。操作可能範囲２２ｂは、操作可能範囲情報２７３に基づき、第１の引き寄せスイッチ２４Ａが配置された位置を示す中心点２２ｃを中心とした半円である。
【００８５】
位置算出手段２６１Ｂは、表示オブジェクト１０Ａ１〜１０Ｈ１を引き寄せ位置に表示した場合に、全ての表示オブジェクトが操作可能範囲内にあるか否かを判定する（Ｓ５０）。
【００８６】
図８（ａ）の例では、表示オブジェクト１０Ｄ１が、操作可能範囲２２ｂに含まれていないことから、位置算出手段２６１Ｂは、操作可能範囲内にないと判定し（Ｓ５０：Ｎｏ）、表示オブジェクトが操作可能範囲内に含まれるよう表示領域の縮小率を算出する（Ｓ５１）。
【００８７】
具体的には、位置算出手段２６１Ｂは、中心点２２ｃから最も遠い点として、表示オブジェクト１０Ｄ１の左上の点１０３を特定し、中心点２２ｃから左上の点１０３までの距離を最大距離として算出する。そして、位置算出手段２６１Ｂは、操作可能範囲２２ｂの半径をその算出した最大距離で除算することにより、縮小率を算出する。
【００８８】
そして、位置算出手段２６１Ｂは、その算出した縮小率に基づいて、表示オブジェクトの表示領域を縮小するとともに、表示オブジェクトの表示位置を操作可能範囲２２ｂの内側に変更する（Ｓ５２）。
【００８９】
図８（ｂ）は、表示オブジェクトを縮小して表示した表示画面の一例を示す図である。表示オブジェクト１０Ａ２〜１０Ｈ２は、図８（ａ）の表示状態に比べて、表示領域が縮小された状態で操作可能範囲２２ｂの内側に表示されている。なお、表示オブジェクトに対してピン留めがされた後に引き寄せ解除処理が行われた場合には、そのピン留めがされた表示オブジェクトの縮小表示を解除して元の表示領域で表示してもよいし、操作可能範囲に含まれる範囲で拡大して表示してもよい。
【００９０】
［第３の実施の形態］
第１の実施の形態に係る表示装置２は、テーブル部２０に配置された引き寄せスイッチ２４Ａ〜２４Ｄの押下操作に応じて、表示オブジェクトの表示位置を変更するものであった。これに対し、本実施の形態に係る表示装置２は、テーブル部が傾けられる傾斜操作に応じて、表示オブジェクトの表示位置を傾けられた傾斜方向側に変更するものである。
【００９１】
図１０（ａ）は、本発明の第３の実施の形態に係る表示装置の概略構成の一例を示す全体図である。図１０（ｂ）は、図１０（ａ）のＡ−Ａ線断面図であり、図１０（ｃ）は、傾斜操作が行われた状態のＡ−Ａ線断面図である。
【００９２】
表示装置２は、４つの脚部２１により支持されたテーブル下部２０Ｂと、テーブル下部２０Ｂの上面の中央付近に配置された弾性部材２９と、弾性部材２９により支持されたテーブル上部２０Ａと、テーブル下部２０Ｂの上面の右側、左側、上側、下側にそれぞれ配置された第１乃至第４の引き寄せスイッチ２４Ａ〜２４Ｄと、第１の実施の形態と同様のタッチ用ペン２３及び本体機能部２５とから構成されている。なお、図１０において、図１と同一又は同等の部位については同一の符号を付し、詳細な説明を省略する。
【００９３】
弾性部材２９は、例えば、ゴム、スプリング等からなる。弾性部材２９は、図１０（ｂ）に例示するように、テーブル下部２０Ｂに対してテーブル上部２０Ａが略平行となるように、テーブル上部２０Ａを支持する。
【００９４】
弾性部材２９は、図１０（ｃ）に例示するように、傾斜操作によって第１の引き寄せスイッチ２４Ａの上方から下方向の力Ｆが加えられると、弾性変形することにより、テーブル上部２０Ａが全体的に傾斜し、第１の引き寄せスイッチ２４Ａにテーブル上部２０Ａの下面が接触し、第１の引き寄せスイッチ２４Ａがオン状態を検出する。また、弾性部材２９は、傾斜操作の解除によって力Ｆが解除されると、弾性変形した状態から復帰して、図１０（ｂ）に例示した状態に戻り、第１の引き寄せスイッチ２４Ａは、オフ状態を検出する。なお、傾斜操作を検出方法として、引き寄せスイッチを用いる代わりに、例えば、加速度センサ等の傾き量を検出するセンサを用いてもよい。
【００９５】
上記構成において、傾斜操作によって引き寄せスイッチ２４Ａ〜２４Ｄのいずれかがオン状態を検出すると、本体機能部２５は、その引き寄せスイッチから変更指示を受け付け、第１の実施の形態と同様に、その変更指示の受付元の引き寄せスイッチ側に表示オブジェクト１０の表示位置を変更する。そして、傾斜操作の解除によって引き寄せスイッチがオフ状態を検出すると、本体機能部２５は、その引き寄せスイッチから変更解除指示を受け付け、表示オブジェクト１０を変更前の表示位置に表示する。
【００９６】
［他の実施の形態］
なお、本発明は、上記各実施の形態に限定されず、本発明の趣旨を逸脱しない範囲内で種々な変形が可能である。例えば、上記各実施の形態では、表示装置の操作受付手段、位置算出手段、表示制御手段及び筆記データ管理手段を、制御部と表示制御プログラムによって実現したが、それらの一部または全部を特定用途向け集積回路（ＡＳＩＣ：Application Specific IＣ）等のハードウェアによって実現してもよい。
【００９７】
また、上記各実施の形態で使用されるプログラムは、ＣＤ−ＲＯＭ等の記録媒体から装置内の記憶部に読み込んでもよく、インターネット等のネットワークに接続されているサーバ等から装置内の記憶部にダウンロードしてもよい。
【図面の簡単な説明】
【００９８】
【図１】図１は、本発明の第１の実施の形態に係る表示システムの概略構成の一例を示す全体図である。
【図２】図２は、本発明の第１の実施の形態に係る表示装置の制御系の一例を示すブロック図である。
【図３】図３（ａ）は、表示オブジェクト管理テーブルの一例を示し、図３（ｂ）は、筆記オブジェクト管理テーブルの一例を示す図である。
【図４Ａ】図４Ａ（ａ）は、タッチセンサ付表示部に表示された表示画面の一例を示し、図４Ａ（ｂ）は、表示オブジェクトを引き寄せスイッチ側に変更した表示画面の一例を示す図である。
【図４Ｂ】図４Ｂ（ｃ）は、ピン留めマークを表示オブジェクトに付加した表示画面の一例を示し、図４Ｂ（ｄ）は、ピン留めがされていない表示オブジェクトを通常位置に戻した表示画面の一例を示す図である。
【図４Ｃ】図４Ｃ（ｅ）は、筆記オブジェクトを表示した表示画面の一例を示し、図４Ｃ（ｆ）は、ピン留めが解除された表示オブジェクトを通常位置に戻した表示画面の一例を示す図である。
【図５】図５は、本発明の第１の実施の形態に係る表示装置の引き寄せ処理の動作の一例を示すフローチャートである。
【図６】図６は、第２の引き寄せスイッチが押下された場合の表示画面の一例を示す図である。
【図７】図７は、本発明の第２の実施の形態に係る表示装置の制御系の一例を示すブロック図である。
【図８】図８（ａ）は、引き寄せ位置に表示オブジェクトを配置した配置例を示し、図８（ｂ）は、表示オブジェクトを縮小して表示した表示画面の一例を示す図である。
【図９】図９は、本発明の第２の実施の形態に係る表示装置の引き寄せ処理の動作の一例を示すフローチャートである。
【図１０】図１０（ａ）は、本発明の第３の実施の形態に係る表示装置の概略構成の一例を示す全体図である。図１０（ｂ）は、図１０（ａ）のＡ−Ａ線断面図であり、図１０（ｃ）は、傾斜操作が行われた状態のＡ−Ａ線断面図である。
【符号の説明】
【００９９】
１…表示システム、２…表示装置、３…画像読取装置、４…情報処理装置、５…ネットワーク、１０，１０Ａ〜１０Ｈ，１０Ａ１〜１０Ｈ１，１０Ａ２〜１０Ｈ２…表示オブジェクト、２０…テーブル部、２０Ａ…テーブル上部、２０Ｂ…テーブル下部、２１…脚部、２２…タッチセンサ付表示部、２２ａ…原点、２２ｂ…操作可能範囲、２２ｃ…中心点、２３…タッチ用ペン、２４Ａ〜２４Ｄ…引き寄せスイッチ、２４Ａ１…オン状態の第１のスイッチ、２５…本体機能部、２６…制御部、２７…記憶部、２８…通信部、２９…弾性部材、１００…左下の点、１０１…ピン留めマーク、１０２…筆記オブジェクト、１０３…左上の点、２２０…表示部、２２１…タッチセンサ、２６０…操作受付手段、２６１Ａ，２６１Ｂ…位置算出手段、２６２…表示制御手段、２６３…筆記データ管理手段、２７０Ａ，２７０Ｂ…表示制御プログラム、２７１…表示オブジェクト管理テーブル、２７２…筆記オブジェクト管理テーブル、２７３…操作可能範囲情報
【図１】
2010072841.tif 000003
【図２】
2010072841.tif 000004
【図３】
2010072841.tif 000005
【図４Ａ】
2010072841.tif 000006
【図４Ｂ】
2010072841.tif 000007
【図４Ｃ】
2010072841.tif 000008
【図５】
2010072841.tif 000009
【図６】
2010072841.tif 000010
【図７】
2010072841.tif 000011
【図８】
2010072841.tif 000012
【図９】
2010072841.tif 000013
【図１０】
2010072841.tif 000014